(57)【要約】【課題】  従来のブレンド機は、搬送・送出用のコンベア間に、攪拌ケーシングを配備する構成であるので、省スペースに関し、改良の点がある。また攪拌ケーシングを移動台に配し、この移動台の上方より混合物を投入する構成であるので、嵩高となり、場所によっては設置できないという課題がある。【解決手段】  ローラコンベアを配した生ゴミ、オガクズ等の混合物材料を投入する箱形ホッパーの搬送端に開設した落下口と、落下口直上に配備した羽根群と、羽根群の回転を司る駆動部と、落下口直下に設けたシュータと、シュータにその一部が望んだホッパーの下段に位置する攪拌ケーシングと、攪拌ケーシングに設けた回転胴と、回転胴に多数枢着され攪拌翼及び／又は振子式ブレードと、攪拌ケーシングの壁面に設けた突起と、攪拌ケーシング排出口の直下に設けた搬送手段で構成した生ゴミ、畜糞用混合ブレンド機。【選択図】          図1
2005111414.tif 000002
【特許請求の範囲】
【請求項１】
底にローラコンベアを配した生ゴミ、蓄糞、汚泥及び／又はオガクズ、木片等の混合物材料を投入する箱形ホッパーと、このホッパーの搬送端に開設した落下口と、この落下口の直上に配備した回転自在の羽根群と、この羽根群の回転を司る駆動部と、前記落下口の直下に設けたシュータと、このシュータにその一部が望んだ前記ホッパーの下段に位置する攪拌ケーシングと、この攪拌ケーシングに回転自在に設けた回転胴と、この回転胴に揺動自在に多数枢着され、前記攪拌ケーシングに投入された混合物材料を撹拌混合する攪拌翼及び／又は振子式ブレードと、前記攪拌ケーシングの壁面に設けた破袋用の突起と、前記回転胴の回転を司る駆動部と、前記攪拌ケーシングの排出口の直下にその始端が設けられた前記攪拌ケーシングの下段に位置する搬送手段とで構成した生ゴミ、畜糞用混合ブレンド機。
【請求項２】
請求項1に記載の羽根群は、前記ホッパーに設けた回転軸に軸支した多数枚の板状の羽根であって、この各羽根の両先端側は、当該羽根の基端側を中心として対峙方向にそれぞれ曲折した曲折先端部とし、この各羽根の曲折先端部は、それぞれ隣接する各羽根の曲折先端部と、抱持状態が確保できるように前記回転軸に軸支する構成とした生ゴミ、畜糞用混合ブレンド機。
【請求項３】
請求項1に記載のホッパーの落下口側を、ホッパー用の連結側支柱より突出し、この連結側支柱に連結用の被差込み部を設け、また前記攪拌ケーシングの連結側支柱に差込み部を設け、この被差込み部と、前記差込み部との連結を介して前記ホッパーと前記攪拌ケーシングとを連結一体化する構成とした生ゴミ、畜糞用混合ブレンド機。
【請求項４】
請求項1に記載の攪拌ケーシングに設けた回転胴の両端に設けたドラムにその一部が突出する剥取り用の突起を数本設ける構成とした生ゴミ、畜糞用混合ブレンド機。
【発明の詳細な説明】
【技術分野】
【０００１】
本発明は、生ゴミ、畜糞用混合ブレンド機に関する。
【背景技術】
【０００２】
従来、この種の生ゴミ、畜糞用混合ブレンド機としては、本出願人が提案する特開平10-53482号の「蓄糞、生ゴミ用混合ブレンドシステム及びその混合ブレンド機」がある。この発明の生ゴミ、畜糞用混合ブレンド機は、畜糞、生ゴミ、オガクズ、木片等の混合物が投入されるホッパーと、このホッパーが設けられた投入口及び堰付き排出口とを有する本体ケーシングと、この本体ケーシングの混合室に貫設された回転胴と、この回転胴に揺動自在に多数枢着され、前記混合室に投入された混合物を撹拌混合する振子式ブレードと、前記本体ケーシングの排出口に設けられた衝撃壁及び外部排出口を有する衝撃用フードとで構成されている。またその効果は、(イ)省スペースを利用し、しかも効率的な粉砕・混合が達成される混合ブレンド機を提供すること、(ロ)粉砕・撹拌混合を短時間で確実に達成でき、しかも簡単な構成の混合ブレンド機を提供すること等にある。
【０００３】
【特許文献１】特開平10-53482号
【発明の開示】
【発明が解決しようとする課題】
【０００４】
前記文献1は、前記(イ)省スペースを利用し、しかも効率的な粉砕・混合が達成される混合ブレンド機を提供できる。しかし、搬入用コンベアと、これに続いて、攪拌ケーシング(本体ケーシング)を配し、その前方に送出用コンベアを配した構成であり、省スペースに関し、改良の点がある。またこの文献1は、攪拌ケーシングを移動台に配し、この移動台の上方より混合物を投入する構成であるので、嵩高となり、場所によっては設置できないという課題がある。また前記(ロ)粉砕・撹拌混合を短時間で確実に達成でき、しかも簡単な構成の混合ブレンド機を提供できる。しかし、破袋手段を備えていないことから、生ゴミ等の如く、袋内に収容された構造の混合物では、この破袋に人力と、他の付帯設備とを要すること等の新たな問題も発生してくる。
【課題を解決するための手段】
【０００５】
請求項1の発明は、(イ-1)装置の省スペースを達成し、何れの場所でも設置可能とすること、また効率的な粉砕・混合が達成される混合ブレンド機を提供すること、(ロ-1)破袋を図ること、また粉砕・撹拌混合を短時間で、かつ確実に達成できる簡易構造の混合ブレンド機を提供すること等を意図する。
【０００６】
請求項1は、底にローラコンベアを配した生ゴミ、蓄糞、汚泥及び／又はオガクズ、木片等の混合物材料を投入する箱形ホッパーと、このホッパーの搬送端に開設した落下口と、この落下口の直上に配備した回転自在の羽根群と、この羽根群の回転を司る駆動部と、前記落下口の直下に設けたシュータと、このシュータにその一部が望んだ前記ホッパーの下段に位置する攪拌ケーシングと、この攪拌ケーシングに回転自在に設けた回転胴と、この回転胴に揺動自在に多数枢着され、前記攪拌ケーシングに投入された混合物材料を撹拌混合する攪拌翼及び／又は振子式ブレードと、前記攪拌ケーシングの壁面に設けた破袋用の突起と、前記回転胴の回転を司る駆動部と、前記攪拌ケーシングの排出口の直下にその始端が設けられた前記攪拌ケーシングの下段に位置する搬送手段とで構成した生ゴミ、畜糞用混合ブレンド機である。
【０００７】
請求項2の発明は、請求項1の目的を達成し、かつこの目的達成に最適なホッパー用の羽根群を提供する。
【０００８】
請求項2は、請求項1に記載の羽根群が、前記ホッパーに設けた回転軸に軸支した多数枚の板状の羽根であって、この各羽根の両先端側は、当該羽根の基端側を中心として対峙方向にそれぞれ曲折した曲折先端部とし、この各羽根の曲折先端部は、それぞれ隣接する各羽根の曲折先端部と、抱持状態が確保できるように前記回転軸に軸支する構成とした生ゴミ、畜糞用混合ブレンド機である。
【０００９】
請求項3の発明は、請求項1の目的を達成し、かつこの目的達成に最適なホッパーと攪拌ケーシングとの連結機構を提供する。
【００１０】
請求項3は、請求項1に記載のホッパーの落下口側を、ホッパー用の連結側支柱より突出し、この連結側支柱に連結用の被差込み部を設け、また前記攪拌ケーシングの連結側支柱に差込み部を設け、この被差込み部と、前記差込み部との連結を介して前記ホッパーと前記攪拌ケーシングとを連結一体化する構成とした生ゴミ、畜糞用混合ブレンド機である。
【００１１】
請求項4の発明は、請求項1の目的を達成し、かつこの目的達成に最適な攪拌ケーシング用の回転胴を提供する。
【００１２】
請求項4は、請求項1に記載の攪拌ケーシングに設けた回転胴の両端に設けたドラムにその一部が突出する剥取り用の突起を数本設ける構成とした生ゴミ、畜糞用混合ブレンド機である。
【発明の効果】
【００１３】
請求項1の発明は、底にローラコンベアを配した生ゴミ、蓄糞、汚泥及び／又はオガクズ、木片等の混合物材料を投入する箱形ホッパーと、ホッパーの搬送端に開設した落下口と、落下口の直上に配備した回転自在の羽根群と、羽根群の回転を司る駆動部と、落下口の直下に設けたシュータと、シュータにその一部が望んだホッパーの下段に位置する攪拌ケーシングと、攪拌ケーシングに回転自在に設けた回転胴と、回転胴に揺動自在に多数枢着され、攪拌ケーシングに投入された混合物材料を撹拌混合する攪拌翼及び／又は振子式ブレードと、攪拌ケーシングの壁面に設けた破袋用の突起と、回転胴の回転を司る駆動部と、攪拌ケーシングの排出口の直下にその始端が設けられた攪拌ケーシングの下段に位置する搬送手段とで構成した生ゴミ、畜糞用混合ブレンド機である。
【００１４】
従って、請求項1の発明は、(イ-1)装置の省スペースが達成できること、何れの場所でも設置可能となること、また効率的な粉砕・混合が達成できる混合ブレンド機を提供できること、(ロ-1)破袋が図れること、また粉砕・撹拌混合を短時間で、かつ確実に達成できる簡易構造の混合ブレンド機を提供できること等の特徴がある。
【００１５】
請求項2の発明は、請求項1に記載の羽根群が、ホッパーに設けた回転軸に軸支した多数枚の板状の羽根であって、各羽根の両先端側は、羽根の基端側を中心として対峙方向にそれぞれ曲折した曲折先端部とし、各羽根の曲折先端部は、それぞれ隣接する各羽根の曲折先端部と、抱持状態が確保できるように回転軸に軸支する構成とした生ゴミ、畜糞用混合ブレンド機である。
【００１６】
従って、請求項2は、請求項1の目的を達成できること、またこの目的達成に最適なホッパー用の羽根群を提供できること等の特徴がある。
【００１７】
請求項3の発明は、請求項1に記載のホッパーの落下口側を、ホッパー用の連結側支柱より突出し、連結側支柱に連結用の被差込み部を設け、また攪拌ケーシングの連結側支柱に差込み部を設け、被差込み部と、差込み部との連結を介してホッパーと攪拌ケーシングとを連結一体化する構成とした生ゴミ、畜糞用混合ブレンド機である。
【００１８】
従って、請求項3の発明は、請求項1の目的を達成できること、またこの目的達成に最適なホッパーと攪拌ケーシングとの連結機構を提供できること等の特徴がある。
【００１９】
請求項4の発明は、請求項1に記載の攪拌ケーシングに設けた回転胴の両端に設けたドラムにその一部が突出する剥取り用の突起を数本設ける構成とした生ゴミ、畜糞用混合ブレンド機である。
【００２０】
従って、請求項4は、請求項1の目的を達成できること、またこの目的達成に最適な攪拌ケーシング用の回転胴を提供できること等の特徴がある。
【発明を実施するための最良の形態】
【００２１】
以下、本発明の実施の態様（形態）を説明する。
【００２２】
：  図1〜図9に示した小型の生ゴミ、畜糞用混合ブレンド機を説明すると、1は底100にローラコンベア2を配した生ゴミ、蓄糞、汚泥及び／又はオガクズ、木片等でなる混合物材料を投入する支柱3を備えた二階建て方式(空間101を有する)でなる上面開放の箱形ホッパー(ホッパーとする)であり、このローラコンベア2は、ホッパー1のフレーム102に差渡したローラ200に支持されており、混合物材料の重量に耐えて、略水平状態に搬送できる構造となっている。この支柱3は連結側支柱300と、開放側支柱301とで構成されており、この連結側支柱300と開放側支柱301との間に空間101を、また連結側支柱300の端側に差込み用空間101aを形成する。またローラコンベア2の搬送端側には落下口4を形成する。このホッパー1の搬送端側には少なくとも二基の混合・搬送用の羽根5が設けられており、この羽根5の先端側5aには、基端側5b(支軸側)を中心として対峙方向(図2において上下方向)にそれぞれ曲折した折曲先端部500、501が形成されている。そして、この折曲先端部500と、隣接する羽根5の折曲先端部500とは、略抱持する構造として、混合物材料を確実に搬送する。また同様に他の折曲先端部501と、隣接する羽根5の折曲先端部501とは、略抱持する構造として、前述と同じ効果が期待できる。図中103はホッパー1の側壁を示す。
【００２３】
図中6はローラコンベア2を架承する駆動側ローラであり、この駆動側ローラ6は駆動部7により駆動される。また600はローラコンベア2を架承する従動側ローラである。また8は羽根5を固止する支軸であり、この支軸8は駆動部9により駆動される。
【００２４】
10は略箱形のケーシング1000で外郭体を構成した攪拌ケーシングであり、この攪拌ケーシング10には回転自在に設けた回転胴11が設けられており、この回転胴11には環状の攪拌翼12と、この攪拌翼12に隣接するように揺動自在の振子式ブレード13が多数設けられている。この振子式ブレード13は、先端が広く、基端が狭くなるよう構成した略々扇形として、揺動を効率的にすること、また攪拌を促進すること等を意図する。そして、この振子式ブレード13は回転胴11に設けた支持軸1100に設けられており、この例では、回転胴11に略均等に四ヶ所に設けられることで、攪拌効果を図る。この回転胴11は駆動部14により回転される。この回転胴11の両端に設けたドラム15には剥取り用のナイフ16(突起)が設けられており、この攪拌ケーシング10内に発生するブリッジを壊すこと、又は攪拌ケーシング10の壁面10aにこびり付く混合物を剥離すること、凍結防止(寒冷地対応、又は凍結解除、カッター効果)等をはかること、等を特徴とする。またこの攪拌ケーシング10の一面(ケーシング1000)にはナイフ17(突起)が設けられており、前記攪拌翼12及び/又は振子式ブレード13との間で破袋を図る。尚、この攪拌ケーシング10は、フレーム18を構成する支柱18aを介して架承されており、この支柱18aは連結側支柱1800aと、開放側支柱1801aとで構成されている。また回転胴11及び/又は攪拌翼12・振子式ブレード13・軸受け(後述する)等のメンテナンスを考慮して、ケーシング1000の一部1000aを、取付け取外し自在とすることも可能である。尚、ナイフ16は凍結破壞にも役立つ特徴がある。図中1101は回転胴11を支持する回転軸1102を架承する軸受けを示す。
【００２５】
当該攪拌ケーシング10は、前記ホッパー1の差込み空間101aに、略1/2程度差込まれるようにセットされるが、その際に、フレーム18に設けた楔柱形の差込み部19には、ホッパー1の連結側支柱300に設けた被差込み部20が被嵌されることで、このホッパー1と攪拌ケーシング10とは、所定の位置関係に、確実かつワンタッチで組付けられる。前述した略1/2の差込みは、混合物材料の飛散防止(撥上げ防止)と、攪拌ケーシング10の差込みの容易化等を意図する。このように、攪拌ケーシング10を、差込み空間101aにセットできる構成として、装置全体の嵩を低くし、装置の小型化と、メンテナンスの簡便化、又は全長の短縮化等を図る。そして、一例として、回転胴11の回転を右回転とし、この回転胴11の向かって(図1等において)右側半分の箇所に、混合物材料を投入することで、前述の撥上げ防止に有効である。
【００２６】
尚、落下口4と攪拌ケーシング10の開口1001が連通されていること、また落下口4に対して攪拌ケーシング10の開口1001が狭く構成されることに鑑み、落下口4の上方に環状の案内シュータ21を配し、混合物を確実かつスムーズに、攪拌ケーシング10の開口1001に送り込む構成とする。
【００２７】
図中30は搬送用のコンベアを示す。
【００２８】
：  図9〜図11に示した大型の生ゴミ、畜糞用混合ブレンド機(機械とする)を説明すると、この例は、ホッパー1を対峙状態で配置し、その落下口4にシュータ40を介して搬送用のコンベア41を配し、このコンベア41の先端に、攪拌ケーシング10を設けた構成である。そして、この攪拌ケーシング10には取込み用のホッパー42と排出シュータ43を設ける。この排出シュータ43には、搬送用のコンベア44が連設される。そして、その要部は、前述の図1〜図9の例に準ずる。
【００２９】
：  本発明の攪拌・混合の方法を説明すると、ホッパー1には、原則として、生ゴミ、蓄糞、汚泥等の主体混合物で、湿潤状態の廃棄物を入れ、その上にオガクズ、木片等の副主体混合物で、乾燥状態の廃棄物、原料等を積層する(混合物材料とする)。この積層を適宜繰り返した後に、ローラコンベア2及び/又は羽根5を駆動する。従って、積層された混合物材料は順次搬送されていき、落下口4近傍に至ると、ここに配備されている羽根5の曲折先端部500、501を介して攪拌されるとともに、一次破袋される。この曲折先端部500、501による略抱持形態によって、混合物材料を抱えるような感覚が発生し、この感覚を利用して、確実な搬送(送り込み)と一次攪拌(一例であり、一次的な攪拌混合及び／又は粉砕をいう)が期待できる。この羽根5により一次攪拌された混合物材料は、落下口4に配した案内シュータ21を介してブリッジの発生もなく、極めてスムーズに攪拌ケーシング10の開口1001に導かれる。
【００３０】
この攪拌ケーシング10に導入された(搬送された)一次攪拌された混合物材料は、ここに配する攪拌翼12及び/又は振子式ブレード13で万遍なく攪拌されながら、外気に触れるとともに、またナイフ17を介して二次破袋が行われて、袋内の混合物材料が全て外気に触れる。またこの一次攪拌された混合物材料及び/又は破袋で排出された混合物材料の完全な攪拌と、外気との接触が図れる。この攪拌ケーシング10内での処理を介して最終(二次)攪拌(一例であり、二次的な攪拌混合及び／又は粉砕をいう)されることで、投入された混合物材料の完全な攪拌と、均一な乾燥が確保される。また攪拌ケーシング10内でのブリッジの回避、ケーシング1000の壁面へのこびり付き解消とが図れる。そして、この攪拌ケーシング4内で二次攪拌が完了した混合物は、コンベア30等を利用して、所定の場所に搬送される。この機械によるブレンドは、略完全であり、また空気との接触も十分であることから、悪臭もなく、発酵槽等の設備を利用して迅速な発酵処理がなされる。尚、ホッパー1と攪拌ケーシング10の組付け、離間は前述の所作により、確実かつワンタッチで行える。この発酵処理されたブレンド品は、例えば、有用な肥料となり、この有用な肥料の一部は、図示しない返送ルートを経由して、前記混合ブレンド機に返送されるとともに、他の一部は仕上ルートを経由して肥料（有用微生物入り）として市場に出荷される。
【００３１】
尚、図9〜図11に示した他の例では、対のホッパー1、1に大量の混合物材料を投入して、その落下口4、4を収斂するとともに、この収斂時に、攪拌混合して、より確実なブレンド効果を図る。その後は、コンベア41より攪拌ケーシング10に送り、前述と同様に攪拌混合する。その効果は前述の例に準ずる。その後、搬送用のコンベア44等を利用して、所定の場所に搬送される。その他は、前述の例に準ずる。
【図面の簡単な説明】
【００３２】
【図１】本発明の生ゴミ、畜糞用混合ブレンド機の一例を示す側面図
【図２】図１の平面図
【図３】図１の要部を示した断面図
【図４】本発明のホッパーと攪拌ケーシングとの連結を説明する拡大側面図
【図５】図４の斜視図
【図６】本発明の攪拌ケーシングの平面図
【図７】本発明の攪拌ケーシングの軸受け部を示した拡大斜視図
【図８】図７の攪拌ケーシングの一部を取外し、内部を図示した斜視図
【図９】本発明の他の生ゴミ、畜糞用混合ブレンド機の一例を示す側面図
【図１０】図９の平面図
【図１１】図９の側面図
【符号の説明】
【００３３】
1             ホッパー
100           底
101           空間
101a          差込み空間
102           フレーム
103           側壁
2             ローラコンベア
200           ローラ
3             支柱
300           連結側支柱
301           開放側支柱
4             落下口
5             羽根
500           折曲先端部
501           折曲先端部
5a            先端側
5b            基端側
6             駆動側ローラ
600           従動側ローラ
7             駆動部
8             支軸
9             駆動部
10            攪拌ケーシング
10a           壁面
1000          ケーシング
1000a         一部
1001          開口
11            回転胴
1100          支持軸
1101          軸受け
1102          回転軸
12            攪拌翼
13            振子式ブレード
14            駆動部
15            ドラム
16            ナイフ
17            ナイフ
18            フレーム
18a           支柱
1800a         連結用支柱
1801a         開放側支柱
19            差込み部
20            被差込み部
21            案内シュータ
30            コンベア
40            シュータ
41            コンベア
42            ホッパー
43            シュータ
44            コンベア
【図１】
2005111414.tif 000003
【図２】
2005111414.tif 000004
【図３】
2005111414.tif 000005
【図４】
2005111414.tif 000006
【図５】
2005111414.tif 000007
【図６】
2005111414.tif 000008
【図７】
2005111414.tif 000009
【図８】
2005111414.tif 000010
【図９】
2005111414.tif 000011
【図１０】
2005111414.tif 000012
【図１１】
2005111414.tif 000013